(57)【要約】【課題】救急隊から医療機関への傷病者の受け渡しがより円滑に行われるよう支援する。【解決手段】傷病者受入状況表示装置が、医療機関の傷病者受入状況の、受入および受入不可の両方を含む履歴情報を取得する受入状況履歴情報取得部と、前記履歴情報を、医療機関毎に、受入、受入不可それぞれ時間軸に表示する表示部と、を具備する。【選択図】図１５
2015197885.tif 000002
【特許請求の範囲】
【請求項１】
医療機関の傷病者受入状況の、受入および受入不可の両方を含む履歴情報を取得する受入状況履歴情報取得部と、
前記履歴情報を、医療機関毎に、受入、受入不可それぞれ時間軸に表示する表示部と、
を具備する傷病者受入状況表示装置。
【請求項２】
サーバ装置と複数の端末装置とを具備する救急医療情報システムであって、
前記サーバ装置は、複数の前記端末装置が送信する、医療機関への傷病者受入要請に対する受入または受入不可の結果情報を統合して記憶する記憶部を具備し、
前記端末装置の少なくとも１つは、
前記記憶部が記憶する医療機関への傷病者受入要請に対する受入または受入不可の結果情報を取得する通信部と、
前記医療機関への傷病者受入要請に対する受入または受入不可の結果情報を、医療機関毎に、受入、受入不可それぞれ時間軸に表示する表示部と、
を具備する救急医療情報システム。
【請求項３】
前記サーバ装置は、複数の前記端末装置が送信する、傷病者の情報と搬送先決定済みか否かの情報とを記憶し、
前記端末装置の少なくとも１つは、搬送先未定の傷病者の情報を一覧表示する請求項２に記載の救急医療情報システム。
【請求項４】
医療機関の傷病者受入状況の、受入および受入不可の両方を含む履歴情報を取得する受入状況履歴情報取得ステップと、
前記履歴情報を、医療機関毎に、受入、受入不可それぞれ時間軸に表示する表示ステップと、
を有する傷病者受入状況表示方法。
【請求項５】
コンピュータに、
医療機関の傷病者受入状況の、受入および受入不可の両方を含む履歴情報を取得する受入状況履歴情報取得ステップと、
前記履歴情報を、医療機関毎に、受入、受入不可それぞれ時間軸に表示する表示ステップと、
を実行させるためのプログラム。
【発明の詳細な説明】
【技術分野】
【０００１】
本発明は、傷病者受入状況表示装置、救急医療情報システム、傷病者受入状況表示方法およびプログラムに関する。
【背景技術】
【０００２】
救急車など緊急車両の出動に関連して幾つかの技術が提案されている。
例えば、特許文献１に記載の通信指令システムでは、指令手段は、出動指令が発行されてから、指定された許容時間、例えば１０分以内に出動できなかった未出動車両について、出動編成テーブルから自動的に削除する。この処理は、未出動車両が１つだけの場合、そのまま自動的に削除し、さらに、未出動車両やこれを含む該当事案が複数存在する場合、指令員からの選択指示に従って削除する。また、自動削除の対象となる車両の動態の種類を予め設定しておき、削除対象となる車両を確実に抽出する。
特許文献１では、これにより、通信指令システムにおける自動出動編成に関して、指令書の通りに出動できなかった車両であっても、自動的に事案から削除、もしくは、指令員が事案や車両を選択して自動的に事案から削除する、とされている。
【先行技術文献】
【特許文献】
【０００３】
【特許文献１】特開２００９−７５９８９号公報
【発明の概要】
【発明が解決しようとする課題】
【０００４】
救急隊の活動に際して、病院などの医療機関への傷病者の受け渡しが重要である。例えば、搬送先医療機関を決定し搬送するのに時間がかかると、症状の悪化など重大な結果を招く可能性がある。救急隊から医療機関への傷病者の受け渡しがより円滑に行われることが望まれる。
これに対して、特許文献１には、救急隊と医療機関との連携については記載されていない。
【０００５】
本発明は、救急隊と医療機関との連携を支援することのできる傷病者受入状況表示装置、救急医療情報システム、傷病者受入状況表示方法およびプログラムを提供する。
【課題を解決するための手段】
【０００６】
本発明の第１の態様によれば、傷病者受入状況表示装置は、医療機関の傷病者受入状況の、受入および受入不可の両方を含む履歴情報を取得する受入状況履歴情報取得部と、前記履歴情報を、医療機関毎に、受入、受入不可それぞれ時間軸に表示する表示部と、を具備する。
【０００７】
本発明の第２の態様によれば、救急医療情報システムは、サーバ装置と複数の端末装置とを具備する救急医療情報システムであって、前記サーバ装置は、複数の前記端末装置が送信する、医療機関への傷病者受入要請に対する受入または受入不可の結果情報を統合して記憶する記憶部を具備し、前記端末装置の少なくとも１つは、前記記憶部が記憶する医療機関への傷病者受入要請に対する受入または受入不可の結果情報を取得する通信部と、前記医療機関への傷病者受入要請に対する受入または受入不可の結果情報を、医療機関毎に、受入、受入不可それぞれ時間軸に表示する表示部と、を具備する。
【０００８】
前記サーバ装置は、複数の前記端末装置が送信する、傷病者の情報と搬送先決定済みか否かの情報とを記憶し、前記端末装置の少なくとも１つは、搬送先未定の傷病者の情報を一覧表示するようにしてもよい。
【０００９】
本発明の第３の態様によれば、傷病者受入状況表示方法は、医療機関の傷病者受入状況の、受入および受入不可の両方を含む履歴情報を取得する受入状況履歴情報取得ステップと、前記履歴情報を、医療機関毎に、受入、受入不可それぞれ時間軸に表示する表示ステップと、を有する。
【００１０】
本発明の第４の態様によれば、プログラムは、コンピュータに、医療機関の傷病者受入状況の、受入および受入不可の両方を含む履歴情報を取得する受入状況履歴情報取得ステップと、前記履歴情報を、医療機関毎に、受入、受入不可それぞれ時間軸に表示する表示ステップと、を実行させるためのプログラムである。
【発明の効果】
【００１１】
この発明によれば、救急隊から医療機関への傷病者の受け渡しがより円滑に行われるよう支援することができる。
【図面の簡単な説明】
【００１２】
【図１】本発明の一実施形態における救急医療情報システムの機能構成を示す概略ブロック図である。
【図２】同実施形態における救急医療情報システムを用いた業務の流れの例を示す説明図である。
【図３】同実施形態における救急医療情報システムを用いた業務の流れの例を示す説明図である。
【図４】同実施形態における救急医療情報システムを用いた業務の流れの例を示す説明図である。
【図５】同実施形態における消防本部用端末装置が表示する搬送情報一覧画面（活動中）の例を示す説明図である。
【図６】同実施形態における消防本部用端末装置が表示する傷病者情報詳細画面の例を示す説明図である。
【図７】同実施形態における消防本部用端末装置が表示する写真・メモ画面の例を示す説明図である。
【図８】同実施形態における消防本部用端末装置が表示する搬送情報一覧画面（完了）の例を示す説明図である。
【図９】同実施形態における消防隊員用端末装置が表示するメニュー画面の例を示す説明図である。
【図１０】同実施形態における消防隊員用端末装置が表示する出動情報登録画面の例を示す説明図である。
【図１１】同実施形態における消防隊員用端末装置が表示する動態情報登録画面の例を示す説明図である。
【図１２】同実施形態における消防隊員用端末装置が表示する年齢・性別登録画面の例を示す説明図である。
【図１３】同実施形態における、傷病者情報が入力された状態での傷病者一覧画面の例を示す説明図である。
【図１４】同実施形態における消防隊員用端末装置が表示する観察内容登録画面の例を示す説明図である。
【図１５】同実施形態における消防隊員用端末装置が表示する医療機関一覧画面の例を示す説明図である。
【図１６】図１５のアイコンＣ１１を拡大した例を示す説明図である。
【図１７】同実施形態における消防隊員用端末装置が表示する搬送実績登録画面の例を示す説明図である。
【図１８】同実施形態における医療機関用端末装置が表示する救急受入状況一覧画面（搬送未決定）の例を示す説明図である。
【図１９】同実施形態における医療機関用端末装置が表示する傷病者情報詳細画面の例を示す説明図である。
【図２０】同実施形態における医療機関用端末装置が表示する写真・メモ画面の例を示す説明図である。
【図２１】同実施形態における医療機関用端末装置が表示する救急受入状況一覧画面（受入決定）の例を示す説明図である。
【図２２】同実施形態における医療機関用端末装置における一斉受入要請の表示例を示す説明図である。
【図２３】同実施形態における医療機関用端末装置が表示する一斉受入要請の傷病者情報詳細画面の例を示す説明図である。
【図２４】同実施形態における医療機関用端末装置が表示する予後情報登録画面の例を示す説明図である。
【図２５】同実施形態におけるサーバ装置の機能構成の構成を示す概略ブロック図である。
【図２６】同実施形態における消防本部用端末装置の機能構成の構成を示す概略ブロック図である。
【図２７】同実施形態における消防隊員用端末装置の機能構成の構成を示す概略ブロック図である。
【図２８】同実施形態における医療機関用端末装置の機能構成の構成を示す概略ブロック図である。
【発明を実施するための形態】
【００１３】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態における救急医療情報システムの機能構成を示す概略ブロック図である。同図において、救急医療情報システム１は、サーバ装置１００と、１つ以上の消防本部用端末装置２００と、消防本部用端末装置２００の管轄毎に１つ以上の消防隊員用端末装置３００と、１つ以上の医療機関用端末装置４００と、ネットワーク９００とを具備する。
【００１４】
救急医療情報システム１は、救急隊による傷病者の救急搬送を支援するシステムである。特に、救急医療情報システム１は、搬送先医療機関（受入先医療機関とも言う）決定のための情報を提供する。ここでいう医療機関は、例えば救急病院など、傷病者を受け入れて医療行為を提供可能な機関である。
また、救急医療情報システム１は、傷病者を搬送する救急隊から搬送先医療機関への、傷病者に関する情報提供を支援する。
【００１５】
救急医療情報システム１は、例えば都道府県内全域の情報を集約する。都道府県内には、例えば郡市毎など複数の消防本部が設置され、各消防本部は自らの管轄内の消防署に対して救急車の出動要請を行う。
救急医療情報システム１が、都道府県内全域について救急車の出動状況の情報を集約することで、出動する救急隊員や、出動要請を行う消防本部の担当者は、同一都道府県内の他の消防本部の管轄についても救急車の出動状況を確認できる。出動する救急隊員や、出動要請を行う消防本部の担当者は、他の消防本部の管轄における救急車の出動状況の情報を、現場到着後の搬送先医療機関選定に関する予備情報とすることができる。
また、救急医療情報システム１が、都道府県内全域について医療機関における傷病者受入状況の情報を集約することで、出動する救急隊員や、出動要請を行う消防本部の担当者は、県内の医療機関の救急患者受入状況を確認でき、より迅速に搬送先医療機関を選定し得る。
【００１６】
サーバ装置１００は、各端末装置から情報を集約して一括管理し、各端末装置の要求に応じて情報を提供する。サーバ装置１００は、例えば、救急医療情報システム１の運営を委託された運営会社のデータセンタに設置されたコンピュータにて実現される。
ただし、サーバ装置１００の機能を別の態様で実現するようにしてもよい。例えば、消防本部用端末装置２００のいずれかとサーバ装置１００とが同一のコンピュータにて実現され、消防本部に設置されていてもよい。
【００１７】
消防本部用端末装置２００は、消防本部から各消防署の救急車に対する出動要請を支援する。特に、消防本部用端末装置２００は、各救急車の出動状況情報を出動要請担当者に提供する。
消防本部用端末装置２００は、例えば、消防本部に設置されたパソコン（Personal Computer；ＰＣ）にて実現される。
【００１８】
消防隊員用端末装置３００は、傷病者の搬送先医療機関の決定に際して、医療機関の傷病者受入状況の情報を救急隊員に提供する。また、消防隊員用端末装置３００は、救急隊員が行う傷病者の状態情報の登録を受け付ける。
消防隊員用端末装置３００は、例えばスマートフォンまたはタブレット端末など携帯型の情報機器にて実現され、救急隊員が消防隊員用端末装置３００を携帯する。ただし、消防隊員用端末装置３００が救急車に組み込まれるなど、携帯型の情報機器以外の形態で実現されていてもよい。
【００１９】
医療機関用端末装置４００は、医療機関に対する傷病者の受入要請への応答や、傷病者の受入準備を支援する。特に、医療機関用端末装置４００は、受入要請されている傷病者の状態の情報を医療機関の担当者に提供する。また、医療機関用端末装置４００は、医療機関への受入が決まり搬送中の傷病者の状態の情報を、当該医療機関で当該傷病者を引き受ける医師等に提供する。
医療機関用端末装置４００は、例えば、医療機関に設置されたパソコンにて実現される。
【００２０】
ネットワーク９００は、サーバ装置１００と各端末装置との通信を媒介する。
ネットワーク９００は、例えばインターネット（Internet）と、携帯電話網（通信事業者がスマートフォンや携帯電話などの携帯端末装置向けに提供する通信ネットワーク）との組み合わせにて実現される。但し、ネットワーク９００として、インターネットと携帯電話網との組み合わせに限らず様々な通信ネットワークを用いることができる。例えば、ネットワーク９００が、救急医療情報システム１専用の回線であってもよい。
【００２１】
図２〜図４は、救急医療情報システム１を用いた業務の流れの例を示す説明図である。
同図の処理において、まず、消防本部の担当者が、消防署に対して救急車の出動要請を行う（ステップＳ１０１）。当該担当者が、救急医療情報システム１を用いて出動要請を行うようにしてもよいし、電話または専用回線など他の手段にて出動要請を行うようにしてもよい。
【００２２】
出動要請を行う際、担当者は、消防本部用端末装置２００にて救急車の出動状況を確認して、出動要請を行う消防署を決定する。消防本部用端末装置２００は、消防隊員用端末装置３００がサーバ装置１００に登録した出動状況に関する情報や傷病者に関する情報を表示して、消防本部の担当者による出動要請を支援する。
ここでいうサーバ装置１００への情報の登録とは、当該情報をサーバ装置１００に送信して記憶させることである。
【００２３】
図５は、消防本部用端末装置２００が表示する搬送情報一覧画面（活動中）の例を示す説明図である。消防本部用端末装置２００は、搬送情報一覧画面（活動中）において、搬送中の傷病者の情報を一覧表示する。
同図において、消防本部用端末装置２００は、搬送中の傷病者毎に、管理番号、事案番号、画像伝送、救急車名、事故種別、傷病者、交渉回数、搬送先、出動時刻、状態（搬送状態）、経過時間の各情報と、傷病者情報追加ボタン（「追加」ボタン）、中止ボタンの各ボタンとを表示している。
【００２４】
管理番号は、救急医療情報システム１が救急車の出動を識別する情報である。事案番号は、管理番号と異なる番号にて救急車の出動を識別したい場合に登録可能である。画像伝送情報は、消防隊員用端末装置３００から伝送された画像の有無や枚数を示す。救急車名は、出動している救急車の名称である。
事故種別は、交通（交通事故）、急病、その他など、傷病の発生原因の種別を示す。
【００２５】
傷病者の情報として、年齢と傷病者のアイコンによる男女の区別とが示される。また、アイコンの色により、重症度が示されている。例えば、重症の場合は赤、中等症の場合は黄色、軽傷の場合は緑でアイコンを表示する。
あるいは、アイコンの色により受入要請の状況を表示するようにしてもよい。例えば、電話にて医療機関に受入要請中の場合は、アイコンを黄色で表示する。一斉受入要請中の場合は、アイコンを赤で表示する。ここでいう一斉受入要請とは、受入要請先として選択された複数の医療機関の医療機関用端末装置４００に一斉通知して行う受入要請である。
【００２６】
交渉回数は、医療機関に受入要請（受入交渉とも言う）を行った回数である。搬送先としては、搬送先に決定された医療機関の名称を表示する。
出動時刻は、救急車が出動した時刻である。搬送状態としては、出動、現地（現地到着）など搬送における段階を表示する。経過時間としては、出動時刻からの経過時間を表示する。
【００２７】
傷病者情報追加ボタンがクリックされると、傷病者情報追加画面へ遷移する。クリックは、例えばマウスクリックまたはタッチ画面のタッチ操作で行われる。
中止ボタンがクリックされると、クリックされた行（１回の出動分の情報）が削除される。
また、出動ボタンがクリックされると、出動情報登録画面へ遷移する。出動情報登録画面は、消防本部の担当者が救急隊に代行して出動情報を登録する画面である。
【００２８】
図６は、消防本部用端末装置２００が表示する傷病者情報詳細画面の例を示す説明図である。図５に例示される搬送情報一覧画面（活動中）において傷病者の欄がクリックされると、消防本部用端末装置２００は、クリックされた傷病者について傷病者情報詳細画面を表示する。
図６において、救急車名、管理番号、事故種別、傷病者、経過時間、交渉回数の各情報は、図５の場合と同様である。
傷病者情報詳細画面では、更に、傷病の緊急性や専門性の情報や、バイタル測定または処置毎の情報（時刻、意識レベルや呼吸回数などのバイタル情報、処置内容の情報）が示されている。
また、カメラ・メモ画像のボタンをクリックすると、写真・メモ画面が表示される。
【００２９】
図７は、消防本部用端末装置２００が表示する写真・メモ画面の例を示す説明図である。写真・メモ画面では、消防本部用端末装置２００は、救急隊員が消防隊員用端末装置３００にて登録した写真やメモの一覧を表示する。いずれかの写真またはメモがクリックされると、消防本部用端末装置２００は、当該写真またはメモを拡大表示する。
【００３０】
図８は、消防本部用端末装置２００が表示する搬送情報一覧画面（完了）の例を示す説明図である。図５に例示される搬送情報一覧画面（活動中）において完了タブがクリックされると、消防本部用端末装置２００は、搬送情報一覧画面（完了）を表示する。搬送情報一覧画面（完了）では、ユーザ（消防本部の担当者）は、期間や救急車を指定して搬送済みの搬送情報を検索・閲覧することができる。
【００３１】
図８において、傷病者毎に、管理番号、事案番号、救急車名、事故種別、傷病程度、重症度、交渉回数、搬送先、出動時刻、搬送状態、所要時間、代行有無の各情報が表示されている。
管理番号、事案番号、救急車名、事故種別、交渉回数、搬送先、出動時刻、搬送状態は、搬送情報一覧画面（活動中）の場合と同様である。
【００３２】
傷病程度として、搬送情報一覧画面（活動中）における傷病者の情報が示される。一方、重症度としては、傷病者の年齢や重症度の最新情報が示される。重症度の情報や年齢の情報が、搬送情報一覧画面（活動中）における傷病者の情報から更新される場合がある。
所要時間は出動から帰署までの時間である。
代行有無としては、搬送先を代行で入力したか否かが表示される。
傷病程度欄がクリックされると、傷病者の詳細情報の画面へ遷移する。また、搬送情報一覧画面（活動中）の場合と同様、写真・メモ画面へ遷移可能である。
【００３３】
図２のステップＳ１０１における出動要請を受けた消防署では、救急隊員が救急車にて出動する（ステップＳ１１１）。その際、救急隊員は、消防隊員用端末装置３００を用いて出動の動態情報登録を行う。ここでいう動態情報は、救急隊の出動状況がどの段階にあるかを示す情報である。本実施形態では、動態情報として出動、現地到着、接触、現地出発、病院到着、医師引継、帰署の各段階を登録する場合を例に説明するが、これに限らない。
【００３４】
図９は、消防隊員用端末装置３００が表示するメニュー画面の例を示す説明図である。消防隊員用端末装置３００は、救急隊の出動支援以外にも、過去の救急活動の情報の表示や、医療機関リストの設定など、各種機能を実行可能である。出動に際して、救急隊員は、メニュー画面にて出動の項目を選択（タッチ）することで、出動支援機能を実行させる。
なお、本実施形態では、消防隊員用端末装置３００がスマートフォンにて実現されており、タッチ操作にてユーザ操作を受け付ける場合を例に説明するが、これに限らない。消防隊員用端末装置３００が、マウスクリックやキーボード入力など、タッチ操作以外のユーザ操作を受け付けるようにしてもよい。
【００３５】
図１０は、消防隊員用端末装置３００が表示する出動情報登録画面の例を示す説明図である。消防隊員用端末装置３００は、図９に例示されるメニューが面にて出動の項目が選択されると、出動情報登録画面を表示する。
図１０において、傷病者人数の入力欄と、事故種別の選択ボタンと、出動ボタンとが示されている。救急隊員は、今回の出動における傷病者の人数を入力し、事故種別を選択して出動ボタンを押下（タッチ）する。当該操作を受けた消防隊員用端末装置３００は、出動の動態情報および出動時刻と、傷病者人数と、事故種別とをサーバ装置１００に登録する。
【００３６】
図１１は、消防隊員用端末装置３００が表示する動態情報登録画面の例を示す説明図である。消防隊員用端末装置３００は、動態情報登録画面にて動態情報の登録状況を表示し、新たな動態情報の登録を受け付ける。
図１１の例において、出動の状態情報が登録完了となっている。また、ユーザ（救急隊員）が、未完了ボタンが表示されている動態情報について、当該未完了ボタンを押下すると、消防隊員用端末装置３００は、選択された動態情報に応じた画面を表示する。
【００３７】
図２のステップＳ１１１にて出動した救急隊員は、現地に到着すると（ステップＳ１１２）、現地到着の動態情報登録を行う。現地到着の動態情報登録は、図１１に例示される動態情報登録画面にて救急隊員が現地到達の未完了ボタンを押下することで行われる。消防隊員用端末装置３００は、現地到達の動態情報に加えて、現地到達日時や現地の位置情報をサーバ装置１００に登録する。
【００３８】
現地にて傷病者に接触する（出会う）と（ステップＳ１１３）、救急隊員は、接触の動態情報登録を行う。接触の動態情報登録は、動態情報登録画面にて救急隊員が接触の未完了ボタンを押下することで行われる。消防隊員用端末装置３００は、接触の動態情報に加えて、傷病者と接触した時刻や、傷病者の人数や、事故種別や、接触の位置情報をサーバ装置１００に登録する。
【００３９】
傷病者が多数いる場合など応援が必要な場合は、救急隊員は消防本部に応援要請を行う（ステップＳ１１４）。消防隊員が、救急医療情報システム１を用いて応援要請を行うようにしてもよいし、電話など他の手段にて応援要請を行うようにしてもよい。
応援要請を受けた消防本部では、当該応援要請に応じて担当者が出動要請を行う（ステップＳ１０１）。
【００４０】
傷病者と接触した救急隊員は、傷病者を観察し（ステップＳ１１５）、消防隊員用端末装置３００にて傷病者情報やバイタル情報を登録する。動態情報登録画面にて救急隊員が傷病者一覧の未完了ボタンを押下すると、消防隊員用端末装置３００は、傷病者情報入力用の画面である年齢・性別登録画面を表示する。
【００４１】
図１２は、消防隊員用端末装置３００が表示する年齢・性別登録画面の例を示す説明図である。救急隊員は、年齢・性別登録画面にて、傷病者毎に年齢、性別、傷病程度の情報を入力し、旧力を完了したら登録ボタンを押下する。ＣＰＡボタンは、傷病者が心肺停止に陥った場合に押下される。また、追加情報ボタンが押下された場合、消防隊員用端末装置３００はさらに、当該傷病者の重症度や症状等の情報の追加入力を受け付ける。
図１２で入力される情報や追加入力される情報は、傷病者情報の例に該当する。消防隊員用端末装置３００は、入力された傷病者情報をサーバ装置１００に登録する。
【００４２】
図１３は、傷病者情報が入力された状態での傷病者一覧画面の例を示す説明図である。傷病者ボタンが押下されると、消防隊員用端末装置３００は、図１２に例示される年齢・性別登録画面を表示する。救急隊員は、設定されている傷病者数分の傷病者情報を入力可能である。なお、傷病者数の設定は、図１３の画面右上の「＋」ボタンや「−」ボタンにて増減可能である。
【００４３】
図１４は、消防隊員用端末装置３００が表示する観察内容登録画面の例を示す説明図である。図１３に例示される傷病者一覧画面にて観察ボタンが押下されると、消防隊員用端末装置３００は、観察内容登録画面を表示する。当該観察内容登録画面にて、消防隊員用端末装置３００は、意識レベルや呼吸や脈拍や血圧の入力を受け付ける。これらの情報はバイタル情報の例に該当する。消防隊員用端末装置３００は、入力されたバイタル情報をサーバ装置１００に登録する。
【００４４】
また、図１３に例示される傷病者一覧画面にて写真・メモボタンが押下されると、消防隊員用端末装置３００は、ユーザ操作に従って写真を撮像し、あるいは、ユーザのメモ書き操作を受けて、写真またはメモをサーバ装置１００に登録する。また、傷病者一覧画面にて処置ボタンが押下されると、消防隊員用端末装置３００は、傷病者に対する処置情報の入力画面を表示し、処置情報の入力を受けてサーバ装置１００に登録する。
また、傷病者一覧画面にてドクヘリボタンが押下されると、消防隊員用端末装置３００は、ドクターヘリの出動状況を表示する。
【００４５】
また、図１３の領域Ａ１に示される入力欄は、搬送先医療機関を入力する欄である。消防隊員用端末装置３００は、搬送先の決定の有無や搬送先医療機関の情報の入力を受けてサーバ装置１００に登録することで、搬送先未決定の搬送情報の抽出や、ある医療機関について当該医療機関へ搬送中の搬送情報の抽出が可能になる。
【００４６】
図２のステップＳ１１５における傷病者の観察および情報登録の後、救急隊員は、傷病者搬送先の医療機関を選定する（ステップＳ１１６）。その際、救急隊員は、消防隊員用端末装置３００にて各医療機関における傷病者の受入状況情報を参照することができる。
図１５は、消防隊員用端末装置３００が表示する医療機関一覧画面の例を示す説明図である。消防隊員用端末装置３００は、図１３に例示される傷病者一覧画面にて医療機関ボタンが押下されると、医療機関一覧画面を表示する。
【００４７】
医療機関一覧画面において、消防隊員用端末装置３００は、医療機関毎に過去３時間の傷病者受入状況を時系列にて表示している。例えば、領域Ａ１１における数直線の「０」、「１」、「２」は経過時間を示す。数直線の上側には、傷病者を受け入れた履歴が示されており、「可６回」との表示は、過去３時間に受入を６回行っていることを示している。一方、数直線の下側には、傷病者の受入を断った履歴が示されており、「不可２回」との表示は、過去３時間に受入を２回断っていることを示している。
【００４８】
また、消防隊員用端末装置３００は、数直線に示されるアイコンの文字にて傷病の種類を示している。例えば、「交」、「労」、「急」は、それぞれ、交通事故、労働災害、急病を示す。さらに、消防隊員用端末装置３００は、アイコンの色にて、重症度を示している。例えば、赤、黄、緑は、それぞれ、重症、中等症、軽傷を示している。
【００４９】
また、消防隊員用端末装置３００は、図１５に向かって数直線の左側に示されるアイコンにて、表示順番および受入状況を示している。
図１６は、図１５のアイコンＣ１１を拡大した例を示す説明図である。図１５の例では、現場からの距離が近い順で表示を行っており、図１６の領域Ａ２１の数字「０１」は、表示対象の医療機関のうち現場に最も近いことを示している。図１５においてアイコンＣ１１の下に示される「１．２ｋｍ」の表示は、現場から医療機関までの距離を示している。
【００５０】
また、消防隊員用端末装置３００は、図１６の領域Ａ２１の色にて、直近の傷病者受入からの経過時間を示す。例えば、直近の傷病者受入からの経過時間が短いほど明るい色（白っぽい色）とする。
また、消防隊員用端末装置３００は、領域Ａ２２の色にて、直近に受け入れられた傷病者の重症度を示す。図１５の例では、アイコンＣ１１にて示される医療機関「○○病院」は、領域Ａ１１の数直線に示されるように中等症の傷病者を直近に受け入れている。そこで、消防隊員用端末装置３００は、図１６の領域Ａ２２の色を、中等症を示す黄色としている。
【００５１】
また、消防隊員用端末装置３００は、領域Ａ２３の色にて、医療機関による受入可否状況の通知を示している。例えば、医療機関の担当者が医療機関用端末装置４００にて優先的に受入可能、受け入れ可能、３０分間受入不可、６０分間受入不可等の情報をサーバ装置１００に登録する。そして、消防隊員用端末装置３００は、当該情報をサーバ装置１００から取得し、例えば、優先的に受入可能な場合を最も明るい色、受け入れ可能な場合を次に明るい色、受入不可の時間が長くなるほど暗い色、というように、通知に応じた色を領域Ａ２３に表示する。
【００５２】
図１５に例示される医療機関毎の傷病者受入状況の情報は、受入要請を行った救急隊員が消防隊員用端末装置３００にてサーバ装置１００に登録する受入要請の結果情報に基づく。
図１７は、消防隊員用端末装置３００が表示する搬送実績登録画面の例を示す説明図である。消防隊員用端末装置３００は、図１５に例示される医療機関一覧画面にて交渉ボタンが押下されると、当該交渉ボタンに対応付けられる医療機関について搬送実績登録画面を表示する。そこで、図１５に例示される医療機関一覧画面を参照して医療機関と受入要請（受入交渉）を行った救急隊員が、交渉ボタンを押下して交渉結果を登録する。
【００５３】
消防隊員用端末装置３００は、搬送実績東特画面にて、交渉日時や、交渉結果としての受入可否や、受入不可の場合の不可理由の各情報の入力を受けてサーバ装置１００に登録する。
なお、医療機関の担当者が、受入要請に対する回答（可否情報）を医療機関用端末装置４００にて登録するようにしてもよい。
【００５４】
救急隊員は、例えば、電話にて医療機関と受入要請（受入交渉）を行う（図３のステップＳ１２１）。受入要請を受けた医療機関では、担当者が受入可否を応答する（ステップＳ１２２）。その際、担当者は、医療機関用端末装置４００にて傷病者の情報や搬送状況の情報を参照して受入可否決定の参考情報とすることができる。医療機関用端末装置４００は、消防隊員用端末装置３００がサーバ装置１００に登録した出動状況に関する情報や傷病者に関する情報を表示して、医療機関の担当者による傷病者受入可否の決定を支援する。
【００５５】
図１８は、医療機関用端末装置４００が表示する救急受入状況一覧画面（搬送未決定）の例を示す説明図である。医療機関用端末装置４００は、救急受入状況一覧画面（搬送未決定）において、搬送先未決定の搬送の情報を一覧表示する。
同図において、医療機関用端末装置４００は、搬送毎に、救急車名、管理番号、事故種別、傷病者、経過時間、不可回数、状態（搬送状態）の各情報を表示している。
救急車名、管理番号、事故種別、傷病者、経過時間、状態の各情報は、図５を参照して説明したのと同様である。不可回数は、受入要請を行って受入不成立の回数である。
【００５６】
図１９は、医療機関用端末装置４００が表示する傷病者情報詳細画面の例を示す説明図である。図１８に例示する救急車出動状況一覧画面（搬送先未定）において、いずれかの出動が選択されると、医療機関用端末装置４００は、傷病者情報詳細画面を表示する。出動の選択は、例えば、傷病者のアイコンをクリックすることで行われる。アイコンのクリックは、例えば、消防本部用端末装置２００の場合と同様、マウスクリックまたはタッチ画面のタッチ操作で行われる。
【００５７】
図１９において、救急車名、管理番号、事故種別、傷病者、経過時間の各情報は、図１８の場合と同様である。
傷病者情報詳細画面では、更に、傷病の緊急性や専門性や特殊性に関する情報や、バイタル測定または処置毎の情報（時刻、意識レベルや呼吸回数などのバイタル情報、処置内容の情報）が示されている。
また、カメラ・メモ画像のボタンをクリックすると、写真・メモ画面が表示される。
【００５８】
図２０は、医療機関用端末装置４００が表示する写真・メモ画面の例を示す説明図である。写真・メモ画面では、医療機関用端末装置４００は、消防隊員用端末装置３００が救急隊員の操作に従ってサーバ装置１００に登録した写真やメモの一覧が表示する。いずれかの写真またはメモがクリックされると、医療機関用端末装置４００は、当該写真またはメモを拡大表示する。
【００５９】
図２１は、医療機関用端末装置４００が表示する救急受入状況一覧画面（受入決定）の例を示す説明図である。医療機関用端末装置４００は、図１８や図２１における搬送先未決定タブや受入決定（自機関）タブのクリック操作に応じて、救急受入状況一覧画面（搬送先未決定）と救急受入状況一覧画面（受入決定）を切り替えて表示する。救急受入状況一覧画面（受入決定）において、医療機関用端末装置４００は、当該医療機関用端末装置４００の設置されている医療機関が搬送先に決定されており、かつ、搬送中の搬送情報を一覧表示する。
【００６０】
図２１において、医療機関用端末装置４００は、搬送毎に、救急車名、管理番号、事故種別、傷病者、所要時間、不可回数、状態（搬送状態）の各情報を表示している。
救急車名、管理番号、事故種別、傷病者、不可回数、状態の各情報は、図１８の場合と同様である。所要時間として、救急車が医療機関に到達するまでの所要時間を示している。例えば、消防隊員用端末装置３００がＧＰＳ（Global Positioning System）機能を有して自らの位置情報（救急車の位置情報）を送信し、医療機関用端末装置４００は、当該位置情報に基づいて医療機関までの所要時間を算出する。
【００６１】
受入要請に対する回答を受けた救急隊員は、図１７を参照して説明したように消防隊員用端末装置３００に結果を入力する。消防隊員用端末装置３００は、入力された結果をサーバ装置１００に登録する。
なお、受入先がなかなか決まらない場合、救急隊員が消防隊員用端末装置３００にて一斉受入要請を行うようにしてもよい（ステップＳ１３１、Ｓ１３２）。消防隊員用端末装置３００は、図１５に例示される医療機関一覧画面にて一斉受入要請ボタンが押下されると、例えば予め登録されている医療機関または条件指定にて検索された医療機関など、所定の医療機関に対して一斉に受入要請を送信する。
【００６２】
図２２は、医療機関用端末装置４００における一斉受入要請の表示例を示す説明図である。同図では、医療機関用端末装置４００が表示するヘッダの例を示している。
図２２の領域Ａ３１における表示は、一斉受入要請の件数「２件」と、最も時間が経過している一斉受入要請が行われた時刻「１１：１３」とが示されている。
この領域Ａ３１がクリックされると、医療機関用端末装置４００は、最も時間が経過している一斉受入要請の傷病者情報詳細画面を表示する。
【００６３】
図２３は、医療機関用端末装置４００が表示する一斉受入要請の傷病者情報詳細画面の例を示す説明図である。
同図において、医療機関用端末装置４００は、図１９の例における各情報に加えて、傷病者の受入可否、および、受入不可の場合の不可理由の入力欄を表示している。ユーザ（医療機関の担当者）が受入可否や不可理由を入力すると、医療機関用端末装置４００は、一斉受入要請に対する回答を、一斉受入要請送信元の消防隊員用端末装置３００に送信する。
受入要請に対する回答を受けた救急隊員は、図１７を参照して説明したように消防隊員用端末装置３００に結果を入力する。消防隊員用端末装置３００は、入力された結果をサーバ装置１００に登録する。
【００６４】
医療機関との個別の受入要請、または、一斉受入要請にて搬送先の医療機関が決まると、救急隊員は、救急車に傷病者を乗せて現地を出発する（図３のステップＳ１４１）。その際、救急隊員は、消防隊員用端末装置３００を用いて現地出発の動態情報登録を行う。
なお、図１１に例示される動態情報登録画面では、現地出発や、病院到着や、医師引継ぎの項目の未完了ボタンが表示されていない。これらの項目の未完了ボタンは、搬送先医療機関が決定し、図１３に例示される傷病者一覧画面にて救急隊員が消防隊員用端末装置３００に入力することで表示される。現地出発の動態情報登録は、救急隊員が現地出発の未完了ボタンを押下することで行われる。消防隊員用端末装置３００は、現地出発の動態情報に加えて、現地出発の日時情報をサーバ装置１００に登録する。
【００６５】
そして、救急隊員は救急車にて受入先の医療機関へ向かう（ステップＳ１４２）。移動中に傷病者に対する処置を行った場合、救急隊員は消防隊員用端末装置３００に処置内容を入力し、消防隊員用端末装置３００は、処置内容情報をサーバ装置１００に登録する。
一方、受入先の医療機関では、図１９に例示される傷病者情報詳細画面などで搬送中の傷病者に関する情報を予め取得し、受入準備（救急隊員から医師への引継ぎの準備）を行う（ステップＳ１５１）。
【００６６】
医療機関に到着すると（ステップＳ１４３）、救急隊員は、消防隊員用端末装置３００を用いて病院到着の動態情報登録を行う。消防隊員用端末装置３００は、病院到着の動態情報に加えて、病院到着日時や到着した医療機関の位置情報をサーバ装置１００に登録する。
そして、救急隊員から医師への引継が行われる（図４のステップＳ１６１、Ｓ１６２）。その際、救急隊員は、消防隊員用端末装置３００にて医師引継の状態情報登録を行い、また、医師引継情報を登録する。医師引継情報登録では、救急隊員は引継日時や傷病者の年齢、性別および重症度等の情報を消防隊員用端末装置３００に入力し、消防隊員用端末装置３００は、これらの情報をサーバ装置１００に登録する。
【００６７】
その後、救急隊員は救急車にて病院を出発し（ステップＳ１７１）、帰署する（ステップＳ１７２）。帰署した際、救急隊員は、帰署の動態情報登録を行う。消防隊員用端末装置３００は、帰署の動態情報に加えて、帰署日時の情報をサーバ装置１００に登録する。
一方、受入先の医療機関では傷病者の予後管理を行い（ステップＳ１８１）、予後情報を登録する。ここでいう予後管理とは、傷病者に対する受入時の処置（例えば緊急手術など）後の、傷病者の状態の管理のことである。また、ここでいう予後情報とは、予後管理における傷病者に関する情報である。
【００６８】
図２４は、医療機関用端末装置４００が表示する予後情報登録画面の例を示す説明図である。医師など医療機関の担当者は、予後情報登録画面にて医療機関における患者の識別情報（病院患者ＩＤ）や、傷病者の年齢、性別、重症度、主傷病、転帰の日時および区分（外来帰宅、入院中など）を入力する。医療機関用端末装置４００は、これらの情報をサーバ装置１００へ登録する。
【００６９】
なお、図５〜図２４の各画面や、これらの画面から操作される機能は例であり、これらに限らない。例えば、救急隊員毎、救急車毎、消防署毎、消防本部の管轄毎、あるいは都道府県毎などの単位で項目をカスタマイズできるようにしてもよい。さらに例えば、図１２に例示される画面において、ＣＰＡボタンに加えて、あるいは代えて、特定の疾患用にカスタマイズされた画面に遷移するためのボタンを配置可能としてもよい。
【００７０】
次に図２５〜図２８を参照して、救急医療情報システム１の各装置の構成について説明する。
図２５は、サーバ装置１００の機能構成の構成を示す概略ブロック図である。同図において、サーバ装置１００は、通信部１１０と、表示部１２０と、操作入力部１３０と、記憶部１８０と、制御部１９０とを具備する。
【００７１】
通信部１１０は、ネットワーク９００（図１）に接続して各端末装置と通信を行う。
表示部１２０は、例えば液晶パネルなどの表示画面を有し、各種画像を表示する。
操作入力部１３０は、例えばキーボードおよびマウスなどの操作デバイスを有し、ユーザ操作を受け付ける。
上述したように、サーバ装置１００は、例えば、データセンタに設置されたコンピュータにて実現されており、表示部１２０や操作入力部１３は、当該コンピュータのメンテナンス端末装置として構成される。
【００７２】
記憶部１８０は、サーバ装置１００の具備する記憶デバイスを用いて構成され、各種情報を記憶する。
特に、記憶部１８０は、複数の消防隊員用端末装置３００の各々が取得して送信する、出動に関する情報や、傷病者に関する情報や、医療機関への傷病者受入要請に関する情報を記憶する。
記憶部１８０が、複数の消防隊員用端末装置３００の各々からの情報を集約的に記憶することで、各種情報の共有が可能になる。
【００７３】
例えば、記憶部１８０が、１つの消防本部の管轄のみならず都道府県内全域における救急車の出動状況の情報を記憶することで、救急隊員や消防本部の担当者は、他の消防本部の救急車についても出動状況を把握することができる。救急隊員や消防本部の担当者は、他の消防本部の救急車も含めた各救急車の出動状況の情報を、現場到着後の搬送先医療機関選定に関する予備情報とすることができ、より迅速に搬送先医療機関を選定し得る。この点において救急医療情報システム１は、救急隊から医療機関への傷病者の受け渡しがより円滑に行われるよう支援することができる。
【００７４】
また、記憶部１８０が、都道府県内の各医療機関の傷病者受入に関する情報を記憶することで、傷病者の搬送先医療機関の情報を関係者（特に、受入要請を行う救急隊員）で共有することができる。各医療機関の傷病者受入状況を把握することで、救急隊員は、より迅速に搬送先医療機関を選定し得る。この点において救急医療情報システム１は、救急隊から医療機関への傷病者の受け渡しがより円滑に行われるよう支援することができる。
上述したように、都道府県内の各医療機関の傷病者受入に関する情報のサーバ装置１００への登録は、例えば、消防隊員用端末装置３００が医療機関に対する傷病者受入要請の結果情報をサーバ装置１００へ送信することで行われる。
【００７５】
また、記憶部１８０が、傷病者の病状や容態に関する情報を予め（特に、受入要請前に）記憶しておくことで、受入要請を受けた医療機関の担当者は、受入要請された傷病者の病状や容態に関する情報を速やかに参照することができる。これにより、救急隊員が医療機関に傷病者受入交渉を行う際、病状や容態の情報を口頭で伝達する手間を省くことができ、搬送先医療機関選定の迅速化や、搬送時間の短縮を図ることができる。この点において救急医療情報システム１は、救急隊から医療機関への傷病者の受け渡しがより円滑に行われるよう支援することができる。
【００７６】
また、記憶部１８０が、傷病者の病状や容態に関する情報を記憶しておくことで、搬送先医療機関の担当者（医療従事者）は、当該情報を参照して、より適切かつ迅速に、傷病者到着後の救急処置の準備を行うことができる。この点において救急医療情報システム１は、救急隊から医療機関への傷病者の受け渡しがより円滑に行われるよう支援することができる。
【００７７】
また、記憶部１８０が、傷病者の病状や容態に関する情報に加えて、傷病者の重症度に関する情報を記憶しておくことで、傷病者受入要請を受けた際、医療機関の担当者は当該情報を参照して受入の緊急度合いを判断することができる。この点において救急医療情報システム１によれば、より効果的な傷病者の受入が可能になる。
【００７８】
また、記憶部１８０が、救急隊員の判断による傷病者の重症度に関する情報を記憶しておき、傷病者受入先医療機関での担当者（医療従事者）の診断による重症度と比較することで、救急隊員による重症度の判断の適切さを評価することができる。これにより、救急隊員による重症度の判断精度向上を図ることができる。
【００７９】
また、記憶部１８０が、傷病者の予後情報を記憶しておくことで、消防組織側でも傷病者の予後の状況を把握することができる。当該予後情報を参照して、搬送時における救急隊員による重症度の判断の適切さや処置の適切さを評価することができる。これにより、救急隊員のスキル向上を図ることができる。
制御部１９０は、サーバ装置１００の各部を制御して各種機能を実行する。特に、制御部１９０は、各端末装置が送信する各種情報を記憶部１８０に記憶させる。また、制御部１９０は、各端末装置からの要求に応じて記憶部１８０から情報を読み出して送信する。
【００８０】
なお、救急医療情報システム１が医療機関の電子カルテシステムと連携するようにしてもよい。サーバ装置１００（記憶部１８０）の記憶している情報を電子カルテシステムが参照できるようにすることで、プレホスピタル（病院前救護）情報と、院内救護情報とを合せて確認ことができる。また、サーバ装置１００の記憶している傷病者の情報等を電子カルテシステムに流用可能とすることで、電子カルテシステムにおける担当者の情報入力の手間を軽減させることができる。
また、消防本部用端末装置２００または消防隊員用端末装置３００から電子カルテシステムの情報を参照可能とすることで、医療機関の担当者が予後情報を救急医療情報システム１に入力する手間なしに、消防組織側で予後情報を把握することができる。
【００８１】
なお、救急医療情報システム１が、消防本部の指令台システム（救急車等の出動を管理するシステム）と連携するようにしてもよい。
例えば、消防台システムが記憶している、１１９番通報の際の聞き取り情報を消防隊員用端末装置３００から参照可能とすることで、より有益な情報を救急隊員に提供し得る。
また、消防隊員が帰署後に報告書を作成する際、救急医療情報システム１が記憶している出動時刻等の情報を自動的に報告書に反映させることで、消防隊員の手間を低減させることができる。
【００８２】
図２６は、消防本部用端末装置２００の機能構成の構成を示す概略ブロック図である。同図において、消防本部用端末装置２００は、通信部２１０と、表示部２２０と、操作入力部２３０と、記憶部２８０と、制御部２９０とを具備する。
【００８３】
通信部２１０は、ネットワーク９００（図１）に接続して通信を行う。特に、通信部２１０は、サーバ装置１００と通信を行う。
表示部２２０は、例えば液晶パネルなどの表示画面を有し、各種画像を表示する。特に、表示部２２０は、図５〜図８を参照して説明したように、消防隊員用端末装置３００が取得してサーバ装置１００が記憶する、出動状況に関する情報や傷病者に関する情報や医療機関への搬送状況に関する情報を表示する。これにより、消防本部用端末装置２００は、消防本部の担当者による救急車の出動要請の決定を支援することができる。
【００８４】
操作入力部２３０は、例えばキーボードおよびマウスなどの操作デバイスを有し、ユーザ操作を受け付ける。
記憶部２８０は、消防本部用端末装置２００の具備する記憶デバイスを用いて構成され、各種情報を記憶する。
制御部２９０は、消防本部用端末装置２００の各部を制御して各種機能を実現する。特に、制御部２９０は、通信部２１０を介してサーバ装置１００から各種情報を取得し、表示部２２０に表示させる。
【００８５】
図２７は、消防隊員用端末装置３００の機能構成の構成を示す概略ブロック図である。同図において、消防隊員用端末装置３００は、通信部３１０と、表示部３２０と、操作入力部３３０と、撮像部３４０と、位置情報取得部３５０と、記憶部３８０と、制御部３９０とを具備する。
【００８６】
通信部３１０は、ネットワーク９００（図１）に接続して通信を行う。特に、通信部３１０は、サーバ装置１００と通信を行う。
表示部３２０は、例えば液晶パネルなどの表示画面を有し、各種画像を表示する。特に、表示部３２０は、図９〜図１７を参照して説明したように、出動状況に関する情報や傷病者に関する情報や医療機関に関する情報の入力画面や表示画面を表示する。
【００８７】
操作入力部３３０は、例えば、表示部３２０の表示画面に設けられたタッチセンサを有する。表示部３２０の表示画面と操作入力部３３０のタッチセンサとでタッチパネルを構成してユーザ操作を受け付ける。
撮像部３４０は、ユーザ操作に従って静止画像や動画像を撮像する。特に、撮像部３４０は、事故現場の画像や、傷口または患部の画像など、傷病に関連する画像の撮像に用いられる。
【００８８】
位置情報取得部３５０は、例えばＧＰＳ機能を有して、消防隊員用端末装置３００自らの位置情報を取得する。
位置情報取得部３５０が取得する消防隊員用端末装置３００の位置情報を、救急車の位置情報として医療機関用端末装置４００に表示させることで、医療機関関係者が、傷病者の医療機関への到着時刻をより容易に予測可能となる。
【００８９】
消防隊員用端末装置３００の位置情報（救急車の位置情報）を医療機関用端末装置４００が表示する態様は様々なものとすることができる。例えば、図１５の例のように、医療機関用端末装置４００が、救急車から医療機関までの距離を表示するようにしてもよい。あるいは、医療機関用端末装置４００が、救急車の位置を地図上に表示するようにしてもよい。
【００９０】
記憶部３８０は、消防隊員用端末装置３００の具備する記憶デバイスを用いて構成され、各種情報を記憶する。
制御部３９０は、消防隊員用端末装置３００の各部を制御して各種機能を実現する。特に、制御部３９０は、操作入力部がユーザ操作を受け付けて得られる各種情報や、撮像部３４０による撮像情報や、位置情報取得部３５０による位置情報を、通信部３１０を介してサーバ装置１００へ送信する。また、制御部３９０は、通信部３１０を介してサーバ装置１００から各種情報を取得し、表示部３２０に表示させる。
【００９１】
なお、消防隊員用端末装置３００は、傷病者受入状況表示装置の例に該当する。通信部３１０は、受入状況履歴情報取得部の例に該当し、医療機関の傷病者受入状況の、受入および受入不可の両方を含む履歴情報を取得する。そして、表示部３２０は、図１５を参照して説明したように、当該履歴情報を、医療機関毎に、受入、受入不可それぞれ時間軸に表示する。
【００９２】
図２８は、医療機関用端末装置４００の機能構成の構成を示す概略ブロック図である。同図において、医療機関用端末装置４００は、通信部４１０と、表示部４２０と、操作入力部４３０と、記憶部４８０と、制御部４９０とを具備する。
【００９３】
通信部４１０は、ネットワーク９００（図１）に接続して通信を行う。特に、通信部４１０は、サーバ装置１００と通信を行う。
表示部４２０は、例えば液晶パネルなどの表示画面を有し、各種画像を表示する。特に、表示部４２０は、図１８〜図２４を参照して説明したように、消防隊員用端末装置３００が取得してサーバ装置１００が記憶する、出動状況に関する情報や傷病者に関する情報や医療機関への搬送状況に関する情報や、予後情報等の入力画面を表示する。これにより、医療機関用端末装置４００は、医療機関の担当者による傷病者受入要請に対する可否の決定を支援することができる。
【００９４】
操作入力部４３０は、例えばキーボードおよびマウスなどの操作デバイスを有し、ユーザ操作を受け付ける。
記憶部４８０は、医療機関用端末装置４００の具備する記憶デバイスを用いて構成され、各種情報を記憶する。
制御部４９０は、医療機関用端末装置４００の各部を制御して各種機能を実現する。特に、制御部４９０は、通信部４１０を介してサーバ装置１００から各種情報を取得し、表示部４２０に表示させる。また、制御部４９０は、予後情報等の情報を、通信部４１０を介してサーバ装置１００へ送信する。
【００９５】
以上のように、消防隊員用端末装置３００において通信部３１０は、医療機関の傷病者受入状況の、受入および受入不可の両方を含む履歴情報を取得する。そして、表示部３２０は、当該履歴情報を、医療機関毎に、受入、受入不可それぞれ時間軸に表示する。
これにより、救急隊員は、傷病者受入要請を行う医療機関を、当該表示を参照して決定することができる。
【００９６】
例えば、直近に多数の傷病者を受け入れている医療機関については、既に忙しいため傷病者受入を断られる可能性が比較的高いと判断できる。加えて、直近に傷病者受入を断っている医療機関については、さらに傷病者受入を要請しても断られる可能性が比較的高いと判断できる。そこで、救急隊員は、直近の傷病者受入数、傷病者受入を断った回数が比較的少ない医療機関に対して傷病者受入要請を行うことができる。
このように、救急医療情報システム１は、救急隊から医療機関への傷病者の受け渡しがより円滑に行われるよう支援することができる。
【００９７】
また、表示部３２０が、傷病の種別や重症度を文字や色で表示することで、救急隊員は、傷病者を受け入れた回数または断った回数に加えて、各対応にかかる負荷の大きさを把握することができ、医療機関の状況をより正確に把握することができる。これにより、救急隊員は、傷病者受入要請を行う医療機関をより適切に決定することができる。
【００９８】
また、図１５および図１６を参照して説明したように、表示部３２０が、数直線での傷病者受入状況の履歴表示に加えて、あるいは代えて、直近の傷病者受入状況や、医療機関による受入可否の通知をアイコンにて表示する。
これにより、救急隊員は、医療機関の状況をより迅速に把握することができる。
【００９９】
また、サーバ装置１００において記憶部１８０は、複数の消防隊員用端末装置３００が送信する、医療機関への傷病者受入要請に対する受入または受入不可の結果情報を統合して記憶する。そして、消防隊員用端末装置３００において通信部３１０は、記憶部１８０が記憶する医療機関への傷病者受入要請に対する受入または受入不可の結果情報を取得する。表示部３２０は、医療機関への傷病者受入要請に対する受入または受入不可の結果情報を、医療機関毎に、受入、受入不可それぞれ時間軸に表示する。
このように、記憶部１８０が複数の消防隊員用端末装置３００の各々からの受入要請に対する結果情報を集約的に記憶しておき、消防隊員用端末装置３００は、各消防隊員用端末装置３００における受入要請に対する結果情報に基づいて、医療機関毎の傷病者受入または受入不可の履歴情報を表示する。
これにより、傷病者受入に関する情報を各消防隊員で共有することができる。
【０１００】
また、サーバ装置１００において記憶部１８０は、複数の消防隊員用端末装置３００が送信する、傷病者の情報と搬送先決定済みか否かの情報とを記憶する。そして、医療機関用端末装置４００は、搬送先未定の傷病者の情報を一覧表示する。
このように、記憶部１８０が複数の消防隊員用端末装置３００の各々からの傷病者の情報と搬送先決定済みか否かの情報とを集約的に記憶しておき、医療機関用端末装置４００は、各消防隊員用端末装置３００における情報に基づいて、搬送先未定の傷病者の情報を一覧表示する。
これにより、医療機関の担当者は、傷病者受入要請を受けている事案だけでなく、他の事案も総合的に勘案して、より効果的な傷病者受入を決定することができる。
また、医療機関の担当者は、傷病者に関する情報をサーバ装置１００から取得して医療機関用端末装置４００で参照することができる。これにより、隊員が傷病者に関する情報を口頭で担当者に伝える手間を軽減することができ、もって、傷病者受入交渉の迅速化や、搬送の迅速化を図ることができる。
【０１０１】
なお、制御部１９０、２９０、３９０および４９０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、コンパクトディスク等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０２】
以上、この発明の実施形態を図面を参照して詳述してきたが、具体的な構成はこの実施形態に限られるものではなく、この発明の要旨を逸脱しない範囲の設計変更等も含まれる。
【符号の説明】
【０１０３】
１  救急医療情報システム
１００  サーバ装置
１１０、２１０、３１０、４１０  通信部
１２０、２２０、３２０、４２０  表示部
１３０、２３０、３３０、４３０  操作入力部
１８０、２８０、３８０、４８０  記憶部
１９０、２９０、３９０、４９０  制御部
２００  消防本部用端末装置
３００  消防隊員用端末装置
３４０  撮像部
３５０  位置情報取得部
４００  医療機関用端末装置
９００  ネットワーク
【図１】
2015197885.tif 000003
【図２】
2015197885.tif 000004
【図３】
2015197885.tif 000005
【図４】
2015197885.tif 000006
【図５】
2015197885.tif 000007
【図６】
2015197885.tif 000008
【図７】
2015197885.tif 000009
【図８】
2015197885.tif 000010
【図９】
2015197885.tif 000011
【図１０】
2015197885.tif 000012
【図１１】
2015197885.tif 000013
【図１２】
2015197885.tif 000014
【図１３】
2015197885.tif 000015
【図１４】
2015197885.tif 000016
【図１５】
2015197885.tif 000017
【図１６】
2015197885.tif 000018
【図１７】
2015197885.tif 000019
【図１８】
2015197885.tif 000020
【図１９】
2015197885.tif 000021
【図２０】
2015197885.tif 000022
【図２１】
2015197885.tif 000023
【図２２】
2015197885.tif 000024
【図２３】
2015197885.tif 000025
【図２４】
2015197885.tif 000026
【図２５】
2015197885.tif 000027
【図２６】
2015197885.tif 000028
【図２７】
2015197885.tif 000029
【図２８】
2015197885.tif 000030
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
医療機関の傷病者受入状況の、受入および受入不可の両方を含む履歴情報を取得する受入状況履歴情報取得部と、
医療機関毎に、前記履歴情報における受入、受入不可それぞれについて、時間軸を示す直線に対応付けて１件毎に、受入、受入不可それぞれからの経過時間に応じた位置に表示する表示部と、
を具備する傷病者受入状況表示装置。
【請求項２】
医療機関の傷病者受入状況の、受入および受入不可の両方を含む履歴情報を取得する受入状況履歴情報取得部と、
医療機関毎に、当該医療機関に対応した時間軸を示す直線に対応付けて、前記履歴情報を、受入、受入不可のそれぞれについて１件毎に表示する表示部であって、前記直線で区切られた一方側の領域に前記履歴情報における受入を表示し、他方側の領域に受入不可を表示する表示部と、
を具備する傷病者受入状況表示装置。
【請求項３】
前記表示部は、前記受入、受入不可それぞれについて傷病の種類を表示する、請求項１または請求項２に記載の傷病者受入状況表示装置。
【請求項４】
前記表示部は、前記医療機関について、現場からの距離が近い順に文字にて表示する、請求項１から３のいずれか１項に記載の傷病者受入状況表示装置。
【請求項５】
前記表示部は、前記医療機関について、現場からの距離を表示する、請求項１から４のいずれか１項に記載の傷病者受入状況表示装置。
【請求項６】
前記表示部は、前記医療機関における直近の傷病者受入からの経過時間に応じた色で表示する、請求項１から５のいずれか１項に記載の傷病者受入状況表示装置。
【請求項７】
前記表示部は、前記医療機関に受け入れられた直近の傷病者の重症度を表示する、請求項１から６のいずれか１項に記載の傷病者受入状況表示装置。
【請求項８】
前記表示部は、前記医療機関から通知される受入可否状況を表示する、請求項１から７のいずれか１項に記載の傷病者受入状況表示装置。
【請求項９】
サーバ装置と複数の端末装置とを具備する救急医療情報システムであって、
前記端末装置には、請求項１から８のいずれか１項に記載の傷病者受入状況表示装置が少なくとも１つ含まれ、
前記サーバ装置は、複数の前記端末装置が送信する、医療機関への傷病者受入要請に対する受入または受入不可の結果情報を統合して記憶する記憶部を具備する
救急医療情報システム。
【請求項１０】
前記サーバ装置は、複数の前記端末装置が送信する、傷病者の情報と搬送先決定済みか否かの情報とを記憶し、
前記端末装置の少なくとも１つは、搬送先未定の傷病者の情報を一覧表示する請求項９に記載の救急医療情報システム。
【請求項１１】
医療機関の傷病者受入状況の、受入および受入不可の両方を含む履歴情報を取得する受入状況履歴情報取得ステップと、
医療機関毎に、前記履歴情報における受入、受入不可それぞれについて、時間軸を示す直線に対応付けて１件毎に、受入、受入不可それぞれからの経過時間に応じた位置に表示する表示ステップと、
を有する傷病者受入状況表示方法。
【請求項１２】
医療機関の傷病者受入状況の、受入および受入不可の両方を含む履歴情報を取得する受入状況履歴情報取得ステップと、
医療機関毎に、当該医療機関に対応した時間軸を示す直線に対応付けて、前記履歴情報を、受入、受入不可のそれぞれについて１件毎に表示する表示ステップであって、前記直線で区切られた一方側の領域に前記履歴情報における受入を表示し、他方側の領域に受入不可を表示する表示ステップと、
を有する傷病者受入状況表示方法。
【請求項１３】
コンピュータに、
医療機関の傷病者受入状況の、受入および受入不可の両方を含む履歴情報を取得する受入状況履歴情報取得ステップと、
医療機関毎に、前記履歴情報における受入、受入不可それぞれについて、時間軸を示す直線に対応付けて１件毎に、受入、受入不可それぞれからの経過時間に応じた位置に表示する表示ステップと、
を実行させるためのプログラム。
【請求項１４】
コンピュータに、医療機関の傷病者受入状況の、受入および受入不可の両方を含む履歴情報を取得する受入状況履歴情報取得ステップと、
当該医療機関に対応した時間軸を示す直線に対応付けて、前記履歴情報を、受入、受入不可のそれぞれについて１件毎に表示する表示ステップであって、前記直線で区切られた一方側の領域に前記履歴情報における受入を表示し、他方側の領域に受入不可を表示する表示ステップと、
を実行させるためのプログラム。
【手続補正２】
【補正対象書類名】明細書
【補正対象項目名】０００６
【補正方法】変更
【補正の内容】
【０００６】
本発明の第１の態様によれば、傷病者受入状況表示装置は、医療機関の傷病者受入状況の、受入および受入不可の両方を含む履歴情報を取得する受入状況履歴情報取得部と、医療機関毎に、前記履歴情報における受入、受入不可それぞれについて、時間軸を示す直線に対応付けて１件毎に、受入、受入不可それぞれからの経過時間に応じた位置に表示する表示部と、を具備する。
本発明の第２の態様によれば、傷病者受入状況表示装置は、医療機関の傷病者受入状況の、受入および受入不可の両方を含む履歴情報を取得する受入状況履歴情報取得部と、医療機関毎に、当該医療機関に対応した時間軸を示す直線に対応付けて、前記履歴情報を、受入、受入不可のそれぞれについて１件毎に表示する表示部であって、前記直線で区切られた一方側の領域に前記履歴情報における受入を表示し、他方側の領域に受入不可を表示する表示部と、を具備する。
前記表示部は、前記受入、受入不可それぞれについて傷病の種類を表示するようにしてもよい。
前記表示部は、前記医療機関について、現場からの距離が近い順に文字にて表示するようにしてもよい。
前記表示部は、前記医療機関について、現場からの距離を表示するようにしてもよい。
前記表示部は、前記医療機関における直近の傷病者受入からの経過時間に応じた色で表示するようにしてもよい。
前記表示部は、前記医療機関に受け入れられた直近の傷病者の重症度を表示するようにしてもよい。
前記表示部は、前記医療機関から通知される受入可否状況を表示するようにしてもよい。
【手続補正３】
【補正対象書類名】明細書
【補正対象項目名】０００７
【補正方法】変更
【補正の内容】
【０００７】
本発明の第３の態様によれば、救急医療情報システムは、サーバ装置と複数の端末装置とを具備する救急医療情報システムであって、前記端末装置には、前記のいずれかの傷病者受入状況表示装置が少なくとも１つ含まれ、前記サーバ装置は、複数の前記端末装置が送信する、医療機関への傷病者受入要請に対する受入または受入不可の結果情報を統合して記憶する記憶部を具備する。
【手続補正４】
【補正対象書類名】明細書
【補正対象項目名】０００９
【補正方法】変更
【補正の内容】
【０００９】
本発明の第４の態様によれば、傷病者受入状況表示方法は、医療機関の傷病者受入状況の、受入および受入不可の両方を含む履歴情報を取得する受入状況履歴情報取得ステップと、医療機関毎に、前記履歴情報における受入、受入不可それぞれについて、時間軸を示す直線に対応付けて１件毎に、受入、受入不可それぞれからの経過時間に応じた位置に表示する表示ステップと、を有する。
本発明の第５の態様によれば、傷病者受入状況表示方法は、医療機関の傷病者受入状況の、受入および受入不可の両方を含む履歴情報を取得する受入状況履歴情報取得ステップと、医療機関毎に、当該医療機関に対応した時間軸を示す直線に対応付けて、前記履歴情報を、受入、受入不可のそれぞれについて１件毎に表示する表示ステップであって、前記直線で区切られた一方側の領域に前記履歴情報における受入を表示し、他方側の領域に受入不可を表示する表示ステップと、を有する。
【手続補正５】
【補正対象書類名】明細書
【補正対象項目名】００１０
【補正方法】変更
【補正の内容】
【００１０】
本発明の第６の態様によれば、プログラムは、コンピュータに、医療機関の傷病者受入状況の、受入および受入不可の両方を含む履歴情報を取得する受入状況履歴情報取得ステップと、医療機関毎に、前記履歴情報における受入、受入不可それぞれについて、時間軸を示す直線に対応付けて１件毎に、受入、受入不可それぞれからの経過時間に応じた位置に表示する表示ステップと、を実行させるためのプログラムである。
本発明の第７の態様によれば、プログラムは、コンピュータに、医療機関の傷病者受入状況の、受入および受入不可の両方を含む履歴情報を取得する受入状況履歴情報取得ステップと、当該医療機関に対応した時間軸を示す直線に対応付けて、前記履歴情報を、受入、受入不可のそれぞれについて１件毎に表示する表示ステップであって、前記直線で区切られた一方側の領域に前記履歴情報における受入を表示し、他方側の領域に受入不可を表示する表示ステップと、を実行させるためのプログラムである。
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
医療機関の傷病者受入状況の、受入および受入不可の両方を含む履歴情報を取得する受入状況履歴情報取得部と、
医療機関毎に、当該医療機関に対応した時間軸を示す直線に対応付けて、前記履歴情報を、受入、受入不可のそれぞれについて１件毎に、受入、受入不可それぞれからの経過時間に応じた位置に表示する表示部であって、前記直線で区切られた一方側の領域に前記履歴情報における受入を表示し、他方側の領域に受入不可を表示する表示部と、
を具備する傷病者受入状況表示装置。
【請求項２】
前記表示部は、前記受入、受入不可それぞれについて傷病の種類を表示する、請求項１に記載の傷病者受入状況表示装置。
【請求項３】
前記表示部は、前記医療機関について、現場からの距離が近い順に文字にて表示する、請求項１または請求項２に記載の傷病者受入状況表示装置。
【請求項４】
前記表示部は、前記医療機関について、現場からの距離を表示する、請求項１から３のいずれか１項に記載の傷病者受入状況表示装置。
【請求項５】
前記表示部は、前記医療機関における直近の傷病者受入からの経過時間に応じた色で表示する、請求項１から４のいずれか１項に記載の傷病者受入状況表示装置。
【請求項６】
前記表示部は、前記医療機関に受け入れられた直近の傷病者の重症度を表示する、請求項１から５のいずれか１項に記載の傷病者受入状況表示装置。
【請求項７】
前記表示部は、前記医療機関から通知される受入可否状況を表示する、請求項１から６のいずれか１項に記載の傷病者受入状況表示装置。
【請求項８】
サーバ装置と複数の端末装置とを具備する救急医療情報システムであって、
前記端末装置には、請求項１から７のいずれか１項に記載の傷病者受入状況表示装置が少なくとも１つ含まれ、
前記サーバ装置は、複数の前記端末装置が送信する、医療機関への傷病者受入要請に対する受入または受入不可の結果情報を統合して記憶する記憶部を具備する
救急医療情報システム。
【請求項９】
前記サーバ装置は、複数の前記端末装置が送信する、傷病者の情報と搬送先決定済みか否かの情報とを記憶し、
前記端末装置の少なくとも１つは、搬送先未定の傷病者の情報を一覧表示する請求項８に記載の救急医療情報システム。
【請求項１０】
コンピュータが、
医療機関の傷病者受入状況の、受入および受入不可の両方を含む履歴情報を取得する受入状況履歴情報取得ステップと、
医療機関毎に、当該医療機関に対応した時間軸を示す直線に対応付けて、前記履歴情報を、受入、受入不可のそれぞれについて１件毎に、受入、受入不可それぞれからの経過時間に応じた位置に表示する表示ステップであって、前記直線で区切られた一方側の領域に前記履歴情報における受入を表示し、他方側の領域に受入不可を表示する表示ステップと、
を有する傷病者受入状況表示方法。
【請求項１１】
コンピュータに、医療機関の傷病者受入状況の、受入および受入不可の両方を含む履歴情報を取得する受入状況履歴情報取得ステップと、
当該医療機関に対応した時間軸を示す直線に対応付けて、前記履歴情報を、受入、受入不可のそれぞれについて１件毎に、受入、受入不可それぞれからの経過時間に応じた位置に表示する表示ステップであって、前記直線で区切られた一方側の領域に前記履歴情報における受入を表示し、他方側の領域に受入不可を表示する表示ステップと、
を実行させるためのプログラム。
【手続補正２】
【補正対象書類名】明細書
【補正対象項目名】０００６
【補正方法】変更
【補正の内容】
【０００６】
本発明の第１の態様によれば、傷病者受入状況表示装置は、医療機関の傷病者受入状況の、受入および受入不可の両方を含む履歴情報を取得する受入状況履歴情報取得部と、医療機関毎に、当該医療機関に対応した時間軸を示す直線に対応付けて、前記履歴情報を、受入、受入不可のそれぞれについて１件毎に、受入、受入不可それぞれからの経過時間に応じた位置に表示する表示部であって、前記直線で区切られた一方側の領域に前記履歴情報における受入を表示し、他方側の領域に受入不可を表示する表示部と、を具備する。
前記表示部は、前記受入、受入不可それぞれについて傷病の種類を表示するようにしてもよい。
前記表示部は、前記医療機関について、現場からの距離が近い順に文字にて表示するようにしてもよい。
前記表示部は、前記医療機関について、現場からの距離を表示するようにしてもよい。
前記表示部は、前記医療機関における直近の傷病者受入からの経過時間に応じた色で表示するようにしてもよい。
前記表示部は、前記医療機関に受け入れられた直近の傷病者の重症度を表示するようにしてもよい。
前記表示部は、前記医療機関から通知される受入可否状況を表示するようにしてもよい。
【手続補正３】
【補正対象書類名】明細書
【補正対象項目名】０００７
【補正方法】変更
【補正の内容】
【０００７】
本発明の第２の態様によれば、救急医療情報システムは、サーバ装置と複数の端末装置とを具備する救急医療情報システムであって、前記端末装置には、前記のいずれかの傷病者受入状況表示装置が少なくとも１つ含まれ、前記サーバ装置は、複数の前記端末装置が送信する、医療機関への傷病者受入要請に対する受入または受入不可の結果情報を統合して記憶する記憶部を具備する。
【手続補正４】
【補正対象書類名】明細書
【補正対象項目名】０００９
【補正方法】変更
【補正の内容】
【０００９】
本発明の第３の態様によれば、傷病者受入状況表示方法は、コンピュータが、医療機関の傷病者受入状況の、受入および受入不可の両方を含む履歴情報を取得する受入状況履歴情報取得ステップと、医療機関毎に、当該医療機関に対応した時間軸を示す直線に対応付けて、前記履歴情報を、受入、受入不可のそれぞれについて１件毎に、受入、受入不可それぞれからの経過時間に応じた位置に表示する表示ステップであって、前記直線で区切られた一方側の領域に前記履歴情報における受入を表示し、他方側の領域に受入不可を表示する表示ステップと、を有する。
【手続補正５】
【補正対象書類名】明細書
【補正対象項目名】００１０
【補正方法】変更
【補正の内容】
【００１０】
本発明の第４の態様によれば、プログラムは、コンピュータに、医療機関の傷病者受入状況の、受入および受入不可の両方を含む履歴情報を取得する受入状況履歴情報取得ステップと、当該医療機関に対応した時間軸を示す直線に対応付けて、前記履歴情報を、受入、受入不可のそれぞれについて１件毎に、受入、受入不可それぞれからの経過時間に応じた位置に表示する表示ステップであって、前記直線で区切られた一方側の領域に前記履歴情報における受入を表示し、他方側の領域に受入不可を表示する表示ステップと、を実行させるためのプログラムである。